(57)【要約】【目的】多様な電子番組ガイド表示やチャンネルリスト表示が行えるディジタル放送受信装置を提供する。【構成】ＯＳＤ回路１２はＣＰＵ１３から出力指示された文字情報や色情報に基づく映像データを生成する。この映像データは加算器２０によって受信映像に重畳される。ＣＰＵ１３がメモリ１４から読み出したＥＰＧデータに基づく文字情報等をＯＳＤ回路１２に与えることで、画面にＥＰＧ表示が行なわれる。メモリ１４には、例えば有料放送のみの番組情報を格納したテーブルが記憶される。ＣＰＵ１３は、有料放送のみを対象としたＥＰＧ表示を行う。【選択図】                図１
2004336595.tif 000002
【特許請求の範囲】
【請求項１】
受信したディジタル放送波から番組情報を分離する手段と、チャンネル番号が表示された表示軸と時間帯を示す情報が表示された表示軸とにより特定される各表示枠内にチャンネル番号及び時間帯に対応した番組ガイド情報を前記番組情報から取得して表示することにより電子番組ガイドを表示する電子番組ガイド表示手段及びチャンネル番号とチャンネル情報とを対応付けたチャンネルリストを表示するチャンネルリスト表示手段の少なくとも一方を備えたディジタル放送受信装置において、
前記番組情報から有料放送か無料放送かを示す情報を取得する手段を備え、前記電子番組ガイド表示手段及びチャンネルリスト表示手段の少なくとも一方は、有料放送か無料放送かを示す情報に基づいて有料放送を対象としたグループ化の処理及び／又は無料放送を対象としたグループ化の処理を行い、グループごとに電子番組ガイド表示又はチャンネルリスト表示を行うように構成されたことを特徴とするディジタル放送受信装置。
【請求項２】
請求項１に記載のディジタル放送受信装置において、有料放送が当該ディジタル放送受信装置で契約済みか未契約かを判断する手段を備え、前記電子番組ガイド表示手段及びチャンネルリスト表示手段の少なくとも一方は、前記有料放送のみから成るグループについて、契約済み有料放送を対象としたグループ化の処理及び／又は未契約有料放送を対象としたグループ化の処理を行い、グループごとに電子番組ガイド表示又はチャンネルリスト表示を行うように構成されたことを特徴とするディジタル放送受信装置。
【請求項３】
受信したディジタル放送波から番組情報を分離する手段と、チャンネル番号が表示された表示軸と時間帯を示す情報が表示された表示軸とにより特定される各表示枠内にチャンネル番号及び時間帯に対応した番組ガイド情報を前記番組情報から取得して表示することにより電子番組ガイドを表示する電子番組ガイド表示手段を備えたディジタル放送受信装置において、
前記番組情報から番組視聴年齢情報を取得する手段を備え、前記電子番組ガイド表示手段は、前記番組視聴年齢情報に基づいて年齢別グループ化の処理を行い、年齢別グループごとに電子番組ガイド表示を行うように構成されたことを特徴とするディジタル放送受信装置。
【請求項４】
請求項３に記載のディジタル放送受信装置において、ユーザ操作に基づく視聴年齢制限ユーザ設定情報を記憶する手段を備え、前記電子番組ガイド表示手段は、視聴年齢制限ユーザ設定情報が示す年齢を超える年齢別グループについて所定のパスワードの入力を条件に電子番組ガイド表示を行うように構成されたことを特徴とするディジタル放送受信装置。
【請求項５】
受信したディジタル放送波から番組情報を分離する手段と、チャンネル番号が表示された表示軸と時間帯を示す情報が表示された表示軸とにより特定される各表示枠内にチャンネル番号及び時間帯に対応した番組ガイド情報を前記番組情報から取得して表示することにより電子番組ガイドを表示する電子番組ガイド表示手段を備えたディジタル放送受信装置において、
前記番組情報から番組視聴年齢情報を取得する手段とユーザ操作に基づく視聴年齢制限ユーザ設定情報を記憶する手段とを備え、前記電子番組ガイド表示手段は、前記番組視聴年齢情報及び視聴年齢制限ユーザ設定情報に基づいて視聴可能番組を対象としたグループ化の処理及び／又は視聴不可番組を対象としたグループ化の処理を行い、グループごとに電子番組ガイド表示を行うように構成されたことを特徴とするディジタル放送受信装置。
【請求項６】
請求項５に記載のディジタル放送受信装置において、前記電子番組ガイド表示手段は、視聴不可番組のグループについて所定のパスワードの入力を条件に電子番組ガイド表示を行うように構成されたことを特徴とするディジタル放送受信装置。
【請求項７】
請求項１乃至請求項６のいずれかに記載のディジタル放送受信装置において、データ放送用に用意されたカラーボタンのユーザ操作を検出し、前記カラーボタンの操作を検出したときに、前記グループ分けした表示を実行するように構成されたことを特徴とするディジタル放送受信装置。
【発明の詳細な説明】
【０００１】
【産業上の利用分野】
この発明は、番組情報に基づいて電子番組ガイド表示等を行なうことができるディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、番組情報がＥＩＴ（Ｅｖｅｎｔ  Ｉｎｆｏｒｍａｔｉｏｎ  Ｔａｂｌｅ）と呼ばれるテーブルにてデータで送出されており、受信装置側では、複数のチャンネル分のＥＩＴを取得し、その情報を基に電子番組ガイド（ＥＰＧ：  Ｅｌｅｃｔｒｏｎｉｃ  Ｐｒｏｇｒａｍ  Ｇｕｉｄｅ）を作成し、ユーザの操作により提示している。なお、電子番組ガイドの表示を見やすくしたディジタル放送受信装置が知られている（特許文献１参照）。
【０００４】
【特許文献１】
特開２００２−１１２１４４号公報
【０００５】
【発明が解決しようとする課題】
ディジタルテレビ放送では従来のアナログテレビ放送と比較して、高画質・高音質、多機能性、多チャンネル性といった特徴を持つ。そして、ディジタルテレビ放送では映像信号や音声信号を送信するほかに、番組表、契約情報、番組の視聴可能年齢を示すパレンタルレベルなどの付加情報（番組情報）も送信され、契約者だけが視聴できる番組や番組視聴可能年齢が受信機設定視聴年齢（視聴年齢制限ユーザ設定情報）よりも低いときだけ視聴できる番組など番組視聴条件が複雑化している。
【０００６】
しかしながら、従来のディジタル放送受信装置では、画一的な電子番組ガイドしか表示できないため、現在の番組契約や受信機設定により視聴者が多チャンネルの放送の中から自分が視聴することができる番組を見つけることは容易ではなかった。
【０００７】
この発明は、上記の事情に鑑み、多様な電子番組ガイド表示やチャンネルリスト表示が行えるディジタル放送受信装置を提供することを目的とする。
【０００８】
【課題を解決するための手段】
この発明のディジタル放送受信装置は、上記課題を解決するために、受信したディジタル放送波から番組情報を分離する手段と、チャンネル番号が表示された表示軸と時間帯を示す情報が表示された表示軸とにより特定される各表示枠内にチャンネル番号及び時間帯に対応した番組ガイド情報を前記番組情報から取得して表示することにより電子番組ガイドを表示する電子番組ガイド表示手段及びチャンネル番号とチャンネル情報とを対応付けたチャンネルリストを表示するチャンネルリスト表示手段の少なくとも一方を備えたディジタル放送受信装置において、前記番組情報から有料放送か無料放送かを示す情報を取得する手段を備え、前記電子番組ガイド表示手段及びチャンネルリスト表示手段の少なくとも一方は、有料放送か無料放送かを示す情報に基づいて有料放送を対象としたグループ化の処理及び／又は無料放送を対象としたグループ化の処理を行い、グループごとに電子番組ガイド表示又はチャンネルリスト表示を行うように構成されたことを特徴とする。
【０００９】
上記の構成であれば、有料放送のみから成るグループと無料放送のみから成るグループとに分けた電子番組ガイド表示又はチャンネルリスト表示が行えることになる。
【００１０】
上記構成において、有料放送が当該ディジタル放送受信装置で契約済みか未契約かを判断する手段を備え、前記電子番組ガイド表示手段及びチャンネルリスト表示手段の少なくとも一方は、前記有料放送のみから成るグループについて、契約済み有料放送を対象としたグループ化の処理及び／又は未契約有料放送を対象としたグループ化の処理を行い、グループごとに電子番組ガイド表示又はチャンネルリスト表示を行うように構成されているのがよい。これによれば、現在番組契約により視聴者がどの放送を視聴できるかを容易に知ることが可能となる。
【００１１】
また、この発明のディジタル放送受信装置は、受信したディジタル放送波から番組情報を分離する手段と、チャンネル番号が表示された表示軸と時間帯を示す情報が表示された表示軸とにより特定される各表示枠内にチャンネル番号及び時間帯に対応した番組ガイド情報を前記番組情報から取得して表示することにより電子番組ガイドを表示する電子番組ガイド表示手段を備えたディジタル放送受信装置において、前記番組情報から番組視聴年齢情報を取得する手段を備え、前記電子番組ガイド表示手段は、前記番組視聴年齢情報に基づいて年齢別グループ化の処理を行い、年齢別グループごとに電子番組ガイド表示を行うように構成されたことを特徴とする。
【００１２】
上記の構成であれば、例えば、５歳視聴可能番組だけから成る電子番組ガイド表示など、多様な電子番組ガイド表示が行えることになる。
【００１３】
上記構成において、ユーザ操作に基づく視聴年齢制限ユーザ設定情報を記憶する手段を備え、前記電子番組ガイド表示手段は、視聴年齢制限ユーザ設定情報が示す年齢を超える年齢別グループについて所定のパスワードの入力を条件に電子番組ガイド表示を行うように構成されているのがよい。これによれば、年齢制限で視聴不可としている番組の電子番組ガイド表示を制限することができる。
【００１４】
また、この発明のディジタル放送受信装置は、受信したディジタル放送波から番組情報を分離する手段と、チャンネル番号が表示された表示軸と時間帯を示す情報が表示された表示軸とにより特定される各表示枠内にチャンネル番号及び時間帯に対応した番組ガイド情報を前記番組情報から取得して表示することにより電子番組ガイドを表示する電子番組ガイド表示手段を備えたディジタル放送受信装置において、前記番組情報から番組視聴年齢情報を取得する手段とユーザ操作に基づく視聴年齢制限ユーザ設定情報を記憶する手段とを備え、前記電子番組ガイド表示手段は、前記番組視聴年齢情報及び視聴年齢制限ユーザ設定情報に基づいて視聴可能番組を対象としたグループ化の処理及び／又は視聴不可番組を対象としたグループ化の処理を行い、グループごとに電子番組ガイド表示を行うように構成されたことを特徴とする。
【００１５】
上記の構成であれば、年齢制限で視聴可としている番組のみから成るグループと年齢制限で視聴不可としている番組無料放送のみから成るグループとに分けた電子番組ガイド表示が行えることになる。
【００１６】
上記構成において、前記電子番組ガイド表示手段及びチャンネルリスト表示手段の少なくとも一方は、前記番組視聴年齢情報及び視聴年齢制限ユーザ設定情報とに基づいて視聴不可番組のみから成るグループ化の処理を行い、当該グループについて所定のパスワードの入力を条件に電子番組ガイド表示又はチャンネルリスト表示を行うように構成されているのがよい。これによれば、電子番組ガイド表示において、年齢制限で視聴不可としている番組の電子番組ガイド表示を制限することができる。
【００１７】
また、これらの構成において、データ放送用に用意されたカラーボタンのユーザ操作を検出し、前記カラーボタンの操作を検出したときに、前記グループ分けした表示を実行するように構成されていてもよい。
【００１８】
【発明の実施の形態】
以下、この発明の実施形態のディジタル放送受信装置を図１乃至図５に基づいて説明する。
【００１９】
アンテナ１は、屋外において所定の方向に向けて配置されており、衛星から送られてくるディジタル放送信号を受信する。このアンテナ１は、一般に周波数変換器を備え、受信／周波数変換した信号をチューナ２に与える。
【００２０】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００２１】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチプレクサ３は、ビデオストリームとオーディオストリームをＡＶデコーダ４に供給し、ＰＳＩ／ＳＩ等をＣＰＵ１３に供給する。
【００２２】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２３】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００２４】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００２５】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに重畳する処理を行う。上記ＯＳＤ回路１２により、ＥＰＧ画面やメニュー画面などの表示が行えることになる。ＣＰＵ１３は、ＯＳＤ回路１２にてＥＰＧ画面表示を行わせる場合、例えば、図２に示すようなＥＰＧ画面表示（これを基本形態とする）が行われるように処理を行う。ＣＰＵ１３は、チャンネル番号が表示された表示軸を横軸とし、時間帯を示す情報が表示された表示軸を縦軸とする描画情報を生成する。図２の例では、３チャンネルで４時間分の表示枠を設定している。そして、例えば中央にラストチャンネルが表示されるようにして３つのチャンネルを若い番号順に左側から順に表示し、時間帯については最上位置に現在時刻が含まれる時間帯を表示するようにしている。ＣＰＵ１３は、チャンネル番号が表示された表示軸と時間帯を示す情報が表示された表示軸とにより特定される各表示枠内にチャンネル番号及び時間帯に対応したガイド情報（番組情報）をメモリ１４内のＰＳＩ／ＳＩから取得して描画処理を行う。
【００２６】
リモコン送信機１０は、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。この実施形態では、リモコン送信機１０には、ＥＰＧキー、データ放送用ボタンであるカラーボタン（青ボタン、赤ボタン、緑ボタン、黄ボタン）などの各種キーが設けられている。
【００２７】
メモリ（例えば、ＲＡＭ、ＲＯＭ、ＥＥＰＲＯＭ、フラッシュメモリ等）１４には、ＥＰＧ画面表示に用いられる番組情報、ＥＰＧ画面の表示処理を行なうソフトウェア等が格納される。また、メモリ１４には有料／無料番組テーブル及び視聴年齢別テーブルが設けられている。有料／無料番組テーブルは、無料番組の番組情報が格納される無料番組テーブルと、有料番組の番組情報が格納される有料番組テーブルとから成る。更に、有料番組テーブルは契約番組テーブルと非契約番組テーブルとから成る。有料番組の場合は、ＣＰＵ１３は、番組情報内にある契約確認情報（ＥＩＴ内に存在）を用いて当該番組の契約状況を後述するＩＣカード２１Ａに問い合わせて契約情報を取得し、契約済み番組（チャンネル）であれば番組情報を契約番組テーブルに格納し、未契約であれば番組情報を未契約番組テーブルに格納する。視聴年齢別テーブルは、番組情報中の視聴可能年齢情報に基づいて作成される。更に、メモリ１４には、各種ユーザ設定情報、例えば、視聴年齢制限ユーザ設定情報（例えば、８歳といった情報）、視聴年齢制限解除情報（いわゆるパスワード）などが格納される。視聴年齢制限ユーザ設定情報はメモリ１４における不揮発性メモリ（ＥＥＰＲＯＭ等）に格納されており、不揮発性メモリ内のプログラムが揮発性メモリに展開される際に、上記視聴年齢制限ユーザ設定情報も揮発性メモリに展開される。
【００２８】
モデム２２は課金センターへ視聴履歴情報を伝送する際のダイヤルアップ接続や双方向サービスの通信等においてＣＰＵ１３の制御の下で動作する。
【００２９】
ＩＣカード２１Ａは、有料放送を視聴可能にするための各種情報や番組毎に課金対象となるＰＰＶ番組の視聴履歴情報などをその内蔵メモリに格納する。ＣＡモジュール２１は、ＣＰＵ１３とＩＣカード２１Ａとの間で諸情報の書込み処理や読出し処理を行う。
【００３０】
ＣＰＵ１３は、このディジタル放送受信装置３０における全体制御を行うものであるが、特にこの発明にかかる処理として、図４のフローチャート及び図５のフローチャートに示すごとく、ＥＰＧ表示に係わる処理を実行する。
【００３１】
図４のフローチャートに示すように、ＣＰＵ１３は、デマルチプレクサ３から出力されたＰＳＩ／ＳＩ（番組関連情報）の中から１番組の番組情報を取り出す（ステップＳ１）。ＣＰＵ１３は番組情報の有無を判断し（ステップＳ２）、番組情報無しと判断したときには処理を終了する。一方、番組情報有りと判断した場合には、読み出した番組情報に関わる番組が有料番組であるかどうかを判断する（ステップＳ３）。当該番組が無料番組である場合には（ステップＳ３でＮＯ）、無料番組テーブルに番組情報を格納し、有料番組である場合には（ステップＳ３でＹＥＳ）、番組情報内にある契約確認情報を用いて当該番組の契約状況をＩＣカード２１Ａに問い合わせる（ステップＳ５）。そして、契約済みと判断したときには（ステップＳ６でＹＥＳ）、番組情報を契約番組テーブルに格納し（ステップＳ７）、未契約と判断したときには（ステップＳ６でＮＯ）、番組情報を未契約番組テーブルに格納する（ステップＳ８）。
【００３２】
次に、ＣＰＵ１３はメモリ１４中の視聴年齢制限ユーザ設定情報（受信機設定の視聴年齢）と番組情報中の番組視聴可能年齢とを比較する（ステップＳ９）。ＣＰＵ１３は前記比較結果に基づいて番組の視聴が許可されているかどうかを判断し（ステップＳ１０）、視聴不可（視聴年齢制限ユーザ設定情報＜番組視聴可能年齢）と判断した場合には、視聴年齢制限番組テーブルに番組情報を格納する一方（ステップＳ１１）、視聴可と判断した場合には、視聴可番組テーブルに番組情報を格納し（ステップＳ１２）、次番組を対象として一連の処理を行うためにステップＳ１に戻ることになる。
【００３３】
ＣＰＵ１３は、リモコン送信機１０におけるＥＰＧキーの押下を検出したときには、通常のＥＰＧ表示（図２参照）を行うが、例えば、このＥＰＧ表示状態においてカラーボタンの押下を検出したときには、例えば以下のごとく、各種のＥＰＧ表示を実行する（切り替える）処理を行う。
【００３４】
▲１▼ＣＰＵ１３は、青ボタンの押下を検出した場合、メモリ１４の無料番組テーブルにアクセスして番組情報を読み出し、無料番組だけから成るＥＰＧ表示を実行する。▲２▼ＣＰＵ１３は、緑ボタンの押下を検出した場合、メモリ１４の契約済番組テーブルにアクセスして番組情報を読み出し、契約済み番組だけから成るＥＰＧ表示を実行する。▲３▼ＣＰＵ１３は、赤ボタンの押下を検出した場合、メモリ１４の未契約番組テーブルにアクセスして番組情報を読み出し、未契約番組だけから成るＥＰＧ表示を実行する。▲４▼ＣＰＵ１３は、黄ボタンの押下を検出した場合、メモリ１４の視聴可番組テーブルにアクセスして番組情報を読み出し、視聴が許可された番組だけから成るＥＰＧ表示を実行する。なお、例えば、一定時間内に黄ボタンの二回押下を検出した場合、パスワードの入力を促し、入力パスワードがメモリ格納済みの視聴年齢制限解除用パスワードに合致すれば、メモリ１４の視聴年齢制限番組テーブルにアクセスして番組情報を読み出し、視聴が不許可の番組だけから成るＥＰＧ表示を実行するようにしてもよい。
【００３５】
次に、視聴年齢別テーブルの作成処理について説明していく。ＣＰＵ１３は、デマルチプレクサ３から出力されたＰＳＩ／ＳＩ（番組関連情報）の中から１番組の番組情報を取り出す（ステップＳ２１）。ＣＰＵ１３は番組情報があるかどうかを判断し（ステップＳ２２）、番組情報無しと判断したときには処理を終了する。一方、番組情報有りと判断した場合には、番組情報から取り出した番組視聴可能年齢（日本のディジタルテレビ放送においては、視聴最少年齢は４歳から２０歳までの１歳刻み）を参照し、番組最少視聴年齢が２０歳であるときには（ステップＳ２３でＹＥＳ）、２０歳以上視聴可能番組テーブルに番組情報を格納する（ステップＳ２４）。同様に、番組最少視聴年齢が１９歳であるときには（ステップＳ２５でＹＥＳ）、１９歳視聴可能番組テーブルに番組情報を格納し（ステップＳ２６）、番組最少視聴年齢が１８歳であるときには（ステップＳ２７でＹＥＳ）、１８歳視聴可能番組テーブルに番組情報を格納し（ステップＳ２８）、更に同様の処理を行い、番組最少視聴年齢が５歳であるときには（ステップＳ２９でＹＥＳ）、５歳視聴可能番組テーブルに番組情報を格納する（ステップＳ３０）。そして、番組最少視聴年齢が５歳でない場合には、４歳視聴可能番組テーブルに番組情報データを格納し（ステップＳ３１）、次番組を対象として一連の処理を行うためにステップＳ２１に戻る。
【００３６】
視聴年齢別のＥＰＧ表示切換ボタンとして例えば青ボタンを利用する。ＣＰＵ１３は、データ放送表示時以外のときにおいて、青ボタンの押下を検出したときには、当該検出の度に、４歳以上視聴可能番組→５歳以上視聴可能番組→・・・→２０歳以上視聴可能番組のごとく、ＥＰＧ表示を切り替える。すなわち、ＣＰＵ１３は、最初に青ボタンの押下を検出したときには、４歳視聴可能番組テーブル乃至２０歳以上視聴可能番組テーブルの全ての番組情報を読み出してＥＰＧ表示を行い、更に青ボタンの押下を検出したときには、５歳視聴可能番組テーブル乃至２０歳以上視聴可能番組テーブルの全ての番組情報を読み出してＥＰＧ表示を行い、更に青ボタンの押下を検出したときには、６歳視聴可能番組テーブル乃至２０歳以上視聴可能番組テーブルの全ての番組情報を読み出してＥＰＧ表示を行うごとく、ＥＰＧ表示を切り替えていく。
【００３７】
また、例えば、緑ボタンの押下を検出する度に、４歳視聴可能番組（４歳視聴可能番組テーブルのみ利用）→５歳視聴可能番組（５歳視聴可能番組テーブルのみ利用）→・・・→２０歳以上視聴可能番組（２０歳以上視聴可能番組テーブルのみ利用）のごとく、ＥＰＧ表示を切り替えるようにしてもよい。また、ステップＳ２４→ステップＳ２６→ステップＳ２８→…→ステップＳ３０→ステップＳ３１のごとく進むように処理することで、４歳以上視聴可能番組テーブル、５歳以上視聴可能番組テーブル、…のごとく、テーブルを作成してもよい。また、例えば、視聴年齢制限ユーザ設定情報が例えば８歳である場合、９歳以上視聴可能番組テーブルを用いたＥＰＧ表示ではパスワードの入力を促し、入力パスワードがメモリ格納済みの視聴年齢制限解除用パスワードに合致すれば、９歳以上視聴可能番組テーブルを用いたＥＰＧ表示を実行するようにしてもよい。
【００３８】
なお、上記例では、条件別のＥＰＧ表示を例示したが、図３に示すごとく、チャンネル一覧表の場合も同様に条件別の表示が行える。チャンネル一覧のためのデータ構造では、チャンネル番号に対してチャンネル情報（例えば、チャンネル名、有料／無料、契約／未契約の情報などのチャンネル全体の性格を表す情報）を対応付けており、この図３では、契約チャンネルだけをピックアップしてチャンネル一覧表示を行っている。勿論、未契約チャンネルのみのチャンネル一覧表示も可能である。
【００３９】
【発明の効果】
以上説明したように、多様な電子番組ガイド表示やチャンネルリスト表示が行え、現在の番組契約や受信機設定により視聴者が多チャンネルの放送の中から自分が視聴することができる番組を見つけることが容易になる。具体的には、視聴者が視聴できる番組（チャンネル）と視聴できない番組（チャンネル）に分けて番組（チャンネル）情報が表示されるので、番組（チャンネル）の選択が容易になる。放送されている番組（チャンネル）全体の中で、視聴者が視聴できる番組（チャンネル）の量や範囲が明らかになるので、視聴者に対して番組（チャンネル）の購入意欲を刺激することにつながる。低年齢者の視聴が好ましくない番組の視聴制限は視聴年齢制限機能により可能であるが、この発明であれば、電子番組ガイド上でそのような番組の存在を知られてしまうのを防止できる。
【図面の簡単な説明】
【図１】この発明の実施形態のディジタル放送受信装置を示したブロック図である。
【図２】ＥＰＧ表示例を示した説明図である。
【図３】チャンネルリスト一覧例を示した説明図である。
【図４】この発明の実施形態の番組情報取得処理を示した説明図である。
【図５】この発明の実施形態の番組情報取得処理を示した説明図である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004336595.tif 000003
【図２】
2004336595.tif 000004
【図３】
2004336595.tif 000005
【図４】
2004336595.tif 000006
【図５】
2004336595.tif 000007